(57)【要約】 【課題】  細い框を使った框扉の戸先側縦框に取り付け、室内外から施解錠のできるシリンダー錠で、框の強度を落とさずに取り付けられる錠が無い。  框扉の、細い框の戸先面や中骨を削らずに取り付けができ、框の強度を落とさずに取り付けができて、十分な施錠強度を持つ錠を作る事が課題である。【解決手段】    戸先面を削らないで取り付ける為に面付け錠とした。  細い框に取り付けても中骨を削らないで取り付ける為に、シリンダー軸のバックセットとサムターン軸のバックセットを変え、サムターン軸でデットボルトを動かし、シリンダー軸はサムターン軸とギアで連結してサムターン軸の前方に配置した。  シリンダー側のバックセットを小さくする事で、中骨を削らなくてもシリンダーの取り付けができ、サムターン側のバックセットを大きくする事でデットボルトの強度を確保した。【選択図】図２
2006097359.tif 000002
【特許請求の範囲】
【請求項１】
室外側から操作するシリンダー(３)の軸と室内側から操作するサムターン(４)の軸を分け、両軸をギアで連結し、サムターン軸(２３)でデットボルト(６)を出し入れする面付け錠において、シリンダー軸芯(２)の位置をサムターン軸芯(１)の位置より錠フロント(３５)側である前方に配置して、室内側バックセット(２２)に対して室外側バックセット(２１)を小さくすることにより、細い框に取り付けてもシリンダー(３)が框の中骨(８)に当らずに框の強度を低下させず、また、室内側バックセット(２２)を室外側バックセットよりも大きくすることにより、デットボルト(６)の必要な長さを確保した事を特徴とする室内外のバックセットを変えた面付け錠。
【請求項２】
室内側のサムターンをシリンダーに変え、室内外の両側から合鍵で施解錠をする請求項１記載の室内外のバックセットを変えた面付け錠。
【発明の詳細な説明】
【技術分野】
【０００１】
框扉の、戸先の狭い框に取り付けを可能にした面付け錠である。
【背景技術】
【０００２】
まず、框扉の戸先側縦框の断面形状を図５に基づいて説明する。
この框に錠を取り付ける場合は、掘り込み錠であれ面付け錠であれ寸法が有効奥行き(３４)の範囲であれば普通に取り付けできる。
【０００３】
従来の掘り込み錠を、細い框に取り付けた場合を図８に基づいて説明する。
框の室外面と室内面にシリンダーとサムターンを通す穴を開ける他に、戸先面も錠ケースの入る穴を縦に大きく開ける事となり、框の強度を低下させる。
【０００４】
従来、細い框に取り付け可能な、特に錠ケース深さの小さい錠は無く、図８Bのように框の中骨まで削り取って取り付けなければならない。
戸先面部分と中骨部分まで切り取った框は框としての強度は、もはやほとんど無いい等しく、その部分から折れ曲がってしまう。
その折れ曲がりを防止するのはガラス強度だけとなってしまう。
本来ガラスを補強するはずの框が、逆にガラスに守られる結果となる。
【０００５】
さらに細い框では、錠ケースはさらに深く入り、ガラス溝の中のガラスまで削り取って取り付ける場合がある。この場合、框の強度が低下するだけでなく、ガラス加工も難しくなる。
【０００６】
従来の面付け錠を細い框に取り付けた場合を図９に基づいて説明する。
框の戸先面は削り取る必要は無いが、框の中骨を削ってシリンダーを通す必要がある。中骨を削る事でやはり框の強度を落とす結果となる。
【０００７】
掘り込み錠にしても面付け錠にしてもデットボルトは一定の長さが必要である。
その長さとは、デットボルトのストロークと、突き出した時のデットボルト破壊に対する強度を保つ為に錠ケース内に残す部分の合計の長さである。そしてデットボルトを出し入れするダルマとデットボルトの組み合わせの都合で、細い框に取り付け可能な錠が作られなかったと思われる。
【特許文献１】特願２００３−１９７０７８
【発明の開示】
【発明が解決しようとする課題】
【０００８】
框扉の、細い框の強度を落とさずに取り付ける事が可能で、室内外から操作できて、防犯性の高いシリンダー錠を作る事が課題である。
取り付け易く、使い易い事も合わせて実現する事が課題である。
【課題を解決するための手段】
【０００９】
框の強度を落とさない為には框の戸先面と中骨を削らない事である。
そう考えると掘り込み錠は使えず、面付け錠となる。
従来の面付け錠構造では、細い框に取り付ける場合は中骨も削り取らなければならない。
中骨を削らないで取り付ける方法を次のように考えた。
【００１０】
軸をシリンダー軸とサムターン軸に分け、室外側のシリンダーの軸を、デットボルトを出し入れする室内側のサムターン軸位置より前に配置すればシリンダーを通す為に中骨を削らなくても良い。
シリンダーの軸とサムターンの軸はギアで連結し、連動させる。
【００１１】
そうする事でデットボルトのストロークと必要な長さを確保できる。
サムターンも枠から離れた位置の方がより操作し易いので、結果として使い易い錠となる。
【００１２】
外開き扉で、室外側に組み付けたシリンダーの軸芯である室外側バックセットは小さく、室内側のサムターン軸芯である室内側バックセットを大きくする事で、細い框に取り付けが可能な使い易い面付け錠を作る事ができる。
【００１３】
室内外のバックセットを変えた面付け錠を細い框に取り付けた状態を図２、４に基づいて説明する。
錠ケース(５)は框の室内側面に、枠の戸当り(１４)を避けて取り付ける。
シリンダー(３)は框の室外側面と室内側面に円形の穴を開けて框を貫通させる。デットボルト(６)は枠の戸当り(１４)背面か戸当りに対して突き出し、施錠する。框は戸先面(７)と中骨(８)を削る事が無いので強度は低下しない。
【００１４】
従来の面付け錠では図９で示したように中骨(８)やガラス(９９)まで削らなければならない。発明の面付け錠が中骨やガラスを削る事無く取り付ける事を可能にした構造を図２、３、４に基づいて説明する。
従来の面付け錠ではシリンダーの軸とサムターンの軸が同一軸である。その軸位置はデットボルトのストロークや長さの都合で、どうしても錠ケースフロントからの距離が必要となる。その為に細い框ではシリンダーが中骨やガラスの位置と重なってしまう。
【００１５】
発明の面付け錠はシリンダー軸とサムターン軸を分け、シリンダー軸のみを前方に移動させる事で、框の中骨やガラスを削らなくてもシリンダーの取り付けを可能にしたものである。
その構造は従来同一軸であったシリンダーとサムターンの軸を分け、両軸をギアで連結した事でシリンダー軸をサムターン軸より前方に配置したものである。
【００１６】
従来からシリンダー軸とサムターン軸を分け、ギアで連結した錠構造は存在したが、従来の錠のシリンダー軸位置とサムターン軸位置は上下に離しただけで、室外側シリンダー軸を室内外サムターン軸横方向前方に離したものは見られない。
すなわち室外側バックセットと室内側バックセットを変えたものは見られない。
従来のシリンダー軸とサムターン軸を分けた目的は、薄い扉で扉面からのシリンダーの突き出しを小さくするのが目的で、面付け錠で室内外のバックセットを変える事で、細い框に対して框の戸先面や中骨を削る事無く取り付ける為のものではない。
軸を分けても室内外両側のバックセットを一定にするのが従来の考えである。
【００１７】
室内外の両面にシリンダーを設けた請求項２記載の面付け錠を図６、７に基づいて説明する。
室内側のシリンダーはサムターン軸(４６)に組み付けても良いが、サムターン軸に組み付けた場合は錠ケース面から室内側シリンダーの出っ張りが大きくなる。
出っ張りを小さくする方法として、サムターン軸とは別に内側シリンダーダルマ(５１)を外側シリンダーダルマ(４８)にギアで連結すれば内側シリンダーの位置は外側シリンダーの位置より後方に配置する事ができる。
そして図７で示したように錠ケースからのシリンダーの出っ張りを小さくできる。
【００１８】
この請求項２記載の面付け錠は特願２００３−１９７０７８両面シリンダー面付け錠の、内外のシリンダー軸をギアで連結する技術を利用している。
特願２００３−１９７０７８は内外側シリンダーの位置は上下方向に離しただけで、内外側のバックセットは同じである。
請求項２記載の面付け錠は上下に離すのではなく、左右に離すのが目的である。
【発明の効果】
【００１９】
従来は発明の面付け錠のように細い框に対して、框の強度を落とさずに取り付けができて室内外から操作のできる本格的な錠は見られなかった。その為に図８B、９で示したように框の戸先面や中骨を削り、時にはガラスまで削り、框の強度を落とした。
框の強度が無いと框扉は風圧に耐えられず、扉やガラスに対する側圧に耐えられない。発明の面付け錠を使う事で、細い框でも框強度を落とさずに扉の施錠をする事が可能になる。
【発明を実施するための最良の形態】
【００２０】
框扉の、錠を取り付ける部分である戸先側縦框の水平断面を示したのが図５である。
この框に発明の面付け錠を取り付ける場合を図２に基づいて説明する。
従来の錠ではシリンダーとサムターンの軸は同一軸の為に、サムターン軸位置(１)がシリンダーの軸位置となり、框の中骨やガラスを削らないとシリンダーの取り付けができない。
サムターン軸位置を図２のシリンダー軸芯位置(２)に設けようとするとデットボルトのストロークが確保できず、デットボルトを突き出した時のデットボルトの曲げ強度や破壊強度も確保できない。
【００２１】
発明の面付け錠では、室外側のシリンダーの軸芯(２)である室外側バックセット(２１)を、室内側のサムターンの軸芯(１)である室内側バックセット(２２)より短くする事で、シリンダーを取り付ける為に中骨やガラスを削る事無くできるようにしたものである。
サムターンの軸芯(１)である室内側バックセット(２２)も必要な長さが確保でき、デットボルトの出し入れストロークの確保とデットボルトを突き出したときのデットボルトの曲げ強度や必要な強度を確保したものである。
【００２２】
バックセットについて従来の意味を説明する。
バックセットとは普通掘り込み錠で表現し、戸先面に取り付けた錠フロント面からシリンダーやサムターン及び握り玉の中心までの距離をいう。
戸当りを避けて取り付ける面付け錠では、戸当りの寸法が一定では無い為に普通はバックセットの表現はしない。しかし今回は発明の内容を表現する為に面付け錠にもバックセットを表現したものである。
【００２３】
いずれにしても、従来のバックセットの考え方は室内外どちらも同じ寸法が常識である。その為に設計仕様書にもバックセット７６ミリを使用の事等の指定がされる。室内外のバックセットが違うという事は従来の考えに無く、そのような指定や扉の製作時の指示ができる。本発明は細い框に框の強度を落とす事無く取り付けができて、信頼性の高い錠を実現する為にあえてそのタブーを破ったものである。
【図面の簡単な説明】
【００２４】
【図１】請求項１記載の面付け錠で、解錠状態の室内側斜視図である。
【図２】Ａ．図１のA部分の水平断面で、各部品の組み合わせを示す。Ｂ．サムターン軸部分を示す。
【図３】Ａ．図１のBB断面で、部品の上下の組み合わせと錠フロントからの距離を示す。Ｂ．施錠時の部品を示す。
【図４】図１のCC断面で、各部品の上下位置を示す。
【図５】戸先框の水平断面形状を示す。
【図６】Ａ．請求項２記載の面付け錠で、図１のBB断面にあたる図である。Ｂ．ラッチボルトを設けた時のラッチボルト構造を示す。
【図７】図６の水平断面で、図１のA部分断面にあたる。
【図８】Ａ．従来の掘り込み錠の縦断面を示す。Ｂ．従来の掘り込み錠を細い框に取り付けた時の水平断面を示す。
【図９】従来の面付け錠を細い框に取り付けた時の水平断面を示す。
【符号の説明】
【００２５】
１        サムターン軸芯
２        シリンダー軸芯
３        シリンダー
４        サムターン
５        錠
６        デットボルト
７        戸先面
８        中骨
９        ガラス
１０      ガラス溝
１１      室外側面
１２      室内側面
１３      枠
１４      戸当り
１５      錠受け
１６      シリンダーダルマ
１７      サムターンダルマ
１８      カム軸
１９      デットカム
２０      化粧座
２１      室外側バックセット
２２      室内側バックセット
２３      サムターン軸
２４      ギア
２５      ギア
２６      シリンダー軸受け穴
２７      ロッキングバー
２８      ロッキングバー軸
２９      ネジ通し穴
３０      取り付けバー
３１      取り付けネジ
３２      シリンダー軸
３３      シリンダーダルマ軸
３４      有効奥行き
３５      錠フロント
４１      錠ケース
４２      デットボルト
４３      ラッチボルト
４４      サムターンダルマ
４５      ギア
４６      サムターン軸
４７      デットカム
４８      外側シリンダーダルマ
４９      ギア
５０      シリンダー軸受け穴
５１      内側シリンダーダルマ
５２      ギア
５３      シリンダー軸受け穴
５４      ラッチダルマ
５５      ハンドル軸受け穴
５６      ラッチカム
５７      ラッチカム溝
５８      室外側バックセット
５９      シリンダー
６０      シリンダー軸
６１      室内側シリンダー軸芯
６２      室外側シリンダー軸芯
６３      錠ケースからのシリンダー突き出し寸法
６４      室内側バックセット
７１      錠ケース
７２      デットボルト
７３      解錠時のデットボルト位置
７４      ダルマ
７５      シリンダー・サムターン軸芯
７６      バックセット
７７      錠ケース深さ
７８      シリンダー
７９      サムターン
８０      枠
８１      ガラスを削る部分
９１      錠ケース
９２      デットボルト
９３      サムターン
９４      シリンダー
９５      シリンダー・サムターン軸芯
９６      バックセット
９７      化粧座
９８      枠
９９      ガラスを削る部分
【図１】
2006097359.tif 000003
【図２】
2006097359.tif 000004
【図３】
2006097359.tif 000005
【図４】
2006097359.tif 000006
【図５】
2006097359.tif 000007
【図６】
2006097359.tif 000008
【図７】
2006097359.tif 000009
【図８】
2006097359.tif 000010
【図９】
2006097359.tif 000011